(57)【要約】【課題】同一ＳＥＰ番号のセレクティブポーリング送信ファイルやフリーポーリング送信でも異なるファイルを発信側へ送信する。【解決手段】画像蓄積部３７にはセレクティブポーリング送信ファイル及びフリーポーリング送信ファイルを記憶する。ポーリング送信ファイル管理テーブル４３は、画像蓄積部３７に記憶したセレクティブポーリング送信ファイル及びフリーポーリング送信ファイルを選択するＳＥＰをＰＷＤ毎に区分けして管理する。発側情報検索部４２は発信側からポーリング送信要求があったときに、発信側から送られた情報からＳＥＰとＰＷＤを検索する。ファイル検索部４１は検索したＳＥＰとＰＷＤにより画像蓄積部３７から送信ファイルを検索する。システム制御部３２は検索した送信ファイルを発信側に送信する。【選択図】　　図２
2004040522.tif 000002
【特許請求の範囲】
【請求項１】
セレクティブポーリング送信ファイル及びフリーポーリング送信ファイルを選択するセレクティブポーリング信号ＳＥＰを発信側を特定する情報毎に区分けして管理し、発信側から送られたＳＥＰと発信側を特定する情報により送信ファイルを検索して送信することを特徴とする通信方法。
【請求項２】
前記発信側を特定する情報はパスワード信号ＰＷＤである請求項１記載の通信方法。
【請求項３】
画像蓄積部とポーリング送信ファイル管理テーブルと発側情報検索部及びファイル検索部を有し、
画像蓄積部にはセレクティブポーリング送信ファイル及びフリーポーリング送信ファイルを記憶し、ポーリング送信ファイル管理テーブルは、画像蓄積部に記憶したセレクティブポーリング送信ファイル及びフリーポーリング送信ファイルを選択するセレクティブポーリング信号ＳＥＰを発信側を特定する情報毎に区分けして管理し、発側情報検索部は発信側からポーリング送信要求があったときに、発信側から送られた情報からＳＥＰと発信側を特定する情報を検索し、ファイル検索部は検索したＳＥＰと発信側を特定する情報により画像蓄積部から送信ファイルを検索し、ファイル検索部で検索した送信ファイルを発信側に送信することを特徴とする通信装置。
【請求項４】
前記発信側を特定する情報はパスワード信号ＰＷＤである請求項３記載の通信装置。
【請求項５】
請求項３の通信装置を有することを特徴とするファクシミリ装置。
【請求項６】
前記発信側を特定する情報は、パスワード信号ＰＷＤと発呼端末識別信号ＣＩＧと非標準機能命令信号ＮＳＣに含まれる発信側の情報と着信動作の前に発信電話番号通知サービスで取得した発信電話番号のいずれかである請求項５記載のファクシミリ装置。
【発明の詳細な説明】
【０００１】
この発明は、ポーリング送信機能を有する通信方法と通信装置及びファクシミリ装置に関するものである。
【０００２】
【従来の技術】
例えば特開平１０−６５８９７号公報や特開２０００−２６１５８３号公報に示すように、ファクシミリ情報サービスやファクシミリ装置のポーリング送信機能により発側から内容を指示され、その指示された内容を発側へ送信する通信装置が使用されている。このポーリング送信機能を使用すると、様々な人々にいろいろな情報を提供することができるので非常に便利である。
【０００３】
【発明が解決しようとする課題】
しかしながら従来のポーリング送信機能では、ＩＴＵ−Ｔ勧告Ｔ．３０のＦコードのセレクティブポーリング信号ＳＥＰ（ＳＥＰ番号なしのフリーポーリングも含む）は、１台の通信装置で１つしか作成できなかったため、１台の通信装置を共通に使用しているＡさんとＢさんのうち、Ａさんが「００１」というＳＥＰ番号でセレクティブポーリング送信ファイルを作成してしまうと、Ｂさんも「００１」というＳＥＰ番号でセレクティブポーリング送信ファイルを作成しようとしても作成できず、Ｂさんは仕方なく「０００１」等のＳＥＰ番号でセレクティブポーリング送信ファイルを作成しなければならなかった。
【０００４】
この発明は係る短所を改善し、発側からの情報ごとにポーリング送信ファイルを管理するできるようにし、同一ＳＥＰ番号のセレクティブポーリング送信ファイルやフリーポーリング送信でも、異なるファイルを発側へ送信できる通信方法と通信装置及びファクシミリ装置を提供することを目的とするものである。
【０００５】
【課題を解決するための手段】
この発明に係る通信方法は、セレクティブポーリング送信ファイル及びフリーポーリング送信ファイルを選択するセレクティブポーリング信号ＳＥＰを発信側を特定する情報、例えばパスワード信号ＰＷＤ毎に区分けして管理し、発信側から送られたＳＥＰとＰＷＤにより送信ファイルを検索して送信することを特徴とする。
【０００６】
この発明に係る通信装置は、画像蓄積部とポーリング送信ファイル管理テーブルと発側情報検索部及びファイル検索部を有し、画像蓄積部にはセレクティブポーリング送信ファイル及びフリーポーリング送信ファイルを記憶し、ポーリング送信ファイル管理テーブルは、画像蓄積部に記憶したセレクティブポーリング送信ファイル及びフリーポーリング送信ファイルを選択するセレクティブポーリング信号ＳＥＰを発信側を特定する情報、例えばパスワード信号ＰＷＤ毎に区分けして管理し、発側情報検索部は発信側からポーリング送信要求があったときに、発信側から送られた情報からＳＥＰとＰＷＤを検索し、ファイル検索部は検索したＳＥＰとＰＷＤにより画像蓄積部から送信ファイルを検索し、ファイル検索部で検索した送信ファイルを発信側に送信することを特徴とする。
【０００７】
この発明のファクシミリ装置は、前記通信装置を有することを特徴とする。また、発信側を特定する情報は、ＰＷＤと発呼端末識別信号ＣＩＧと非標準機能命令信号ＮＳＣに含まれる発信側の情報と着信動作の前に発信電話番号通知サービスで取得した発信電話番号のいずれでも良い。
【０００８】
【発明の実施の形態】
図１はこの発明のファクシミリ装置の構成図である。ファクシミリ装置１は複写機能とプリンタ機能を有し、図に示すように、画像形成ユニット２の下部には記録紙を収納した２段の給紙カセット３ａ，３ｂが設けられ、画像形成ユニット２の上部には読取ユニット４を有する。給紙カセット３ａ，３ｂは給紙ローラ５ａ，５ｂを有し、給紙ローラ５ａ，５ｂにより給紙カセット３ａ，３ｂ内に積載された記録紙を１枚ずつ給紙する。給紙ローラ５ａ，５ｂの下流側近傍は合流して縦搬送経路６が形成されている。縦搬送経路６には、搬送ローラ７，８と画像形成ユニット２の画像形成部９と定着部１０が配置されている。画像形成部９は、感光体１１と、感光体１１の周囲に配置された帯電チャージャ１２と現像装置１３と転写部１４及びクリーニングユニット１５と、レーザ光源やポリゴンミラー等が設けられ、感光体１１にレーザービームを照射して画像を書き込む書込ユニット１６を有する。
【０００９】
縦搬送経路６の下流端には排紙ローラ１７が設けられ、画像を形成した記録紙を排紙部１８に搬送する。また、縦搬送経路６の外側には、支軸１９を支点として回転方向に開閉可能な手差しトレイ２０が設けられている。画像形成ユニット２の側面で支軸１９の上部近傍には手差し給紙を行うための給紙口が設けられ、両面ユニット２１と共通に用いられる搬送経路である共通搬送経路２２が搬送ローラ８の上流側で縦搬送経路６と合流している。そして手差しトレイ２０を水平に開放したときに手差し給紙が可能となり、手差しトレイ２０にセットした記録紙は共通搬送経路２２から縦搬送経路６に搬送される。
【００１０】
給紙ユニット３ａ，３ｂあるいは手差しトレイ２０から給紙された記録紙は画像形成部９に搬送される。画像形成部９は、書込ユニット１６により感光体１１に書き込まれて形成された静電潜像を現像装置１３で現像し、現像した画像を転写部１４で記録紙に転写する。定着部１０は画像が転写された記録紙に熱及び圧力を加えて定着する。画像が定着された記録紙は排紙ローラ１７により排紙部１８に排出される。両面ユニット２１は装置本体２の外側部に設置され、記録紙の両面に画像を形成するときは、片面に画像を形成した記録紙を装置本体２の上部に設けた搬送ローラ２３によりスイッチバック経路２４に送り、スイッチバック経路２４から両面ユニット２１を介して再び縦搬送経路６に記録紙を搬送する。
【００１１】
このファクシミリ装置１の制御部３１は図２のブロック図に示すように、システム制御部３２とシステムメモリ３３とパラメータメモリ３４と網制御部３５とモデム３６と画像蓄積部３７と符号化復号化部３８及びエンジン制御部３９を有する。
【００１２】
システム制御部３２は装置全体の動作を制御するとともにファクシミリ伝送制御手順を実行するものであり、ファイル検索部４１と発側情報検索部４２を有する。システムメモリ３３はシステム制御部３２が実行する制御プログラムや、システム制御部３２が制御プログラムを実行するときに必要なデータを記憶したり、ワークエリアとして利用するものであり、ポーリング送信ファイル管理テーブル４３を有する。パラメータメモリ３４はファクシミリ装置１に固有な各種情報を記憶する。網制御部３５は自動発信機能を有し、公衆回線網に接続する。モデム３６はＧ３ファクシミリのモデム機能を受信するためのものであり、伝送手段信号を送出する低速モデム（Ｖ．２１等）と主に画情報を送受信するための高速モデム機能（Ｖ．１７，Ｖ．２９，Ｖ．２７ｔｅｒ等）及び音声データの録音や再生を行う機能を備えている。画像蓄積部３７は符号化して圧縮された画像データを多数記憶する。符号化復号化部３８は画像データを圧縮したり、圧縮された画像データを伸長する。エンジン制御部３９は画像形成ユニット２の動作を制御する。
【００１３】
システムメモリ３３に設けたポーリング送信ファイル管理テーブル４３は、画像蓄積部３７に記憶したポーリング送信ファイルを管理するものであり、図３の構成図に示すように、パスワード信号ＰＷＤ毎に区分けしたセレクティブポーリング信号ＳＥＰ（ＳＥＰ番号なしのフリーポーリングも含む）と各ＳＥＰに対応したポーリング送信ファイルのファイル番号の格納領域を有する。システム制御部３２の発情報検索部４２は発信側でポーリング送信要求をしたときに、発信側の情報からＳＥＰ信号とＰＷＤ信号を検索して取得する。ファイル検索部４１は、発信側からポーリング送信要求があったときに、ポーリング送信ファイル管理テーブル４３を参照して画像蓄積部３７に記憶したポーリング送信ファイルを検索する。例えば発信側からポーリング送信要求をしてＳＥＰ＝１２３４を受信した場合、ＰＷＤ＝０１が送られるとファイル１を選択して送信し、ＰＷＤ＝０２が送られるとファイル１１を選択して送信する。
【００１４】
このファクシミリ装置１で発信側から呼出信号を受信したときの処理を図４のフローチャートを参照して説明する。
【００１５】
網制御部３５で発信側からの呼出信号を受信すると、この呼出信号に応答して着信動作を行う（ステップＳ１）。その後、システム制御部３２の発側情報検索部４２は送信側からの情報にポーリング送信要求があるかどうかを検索し（ステップＳ２）、ポーリング送信要求でない場合、システム制御部３２は通常の受信処理を行う（ステップＳ６）。また、ポーリング送信要求である場合、システム制御部３２の発情報検索部４２は、発信側の情報からＳＥＰ信号とＰＷＤ信号を検索して取得してファイル検索部４１に送る（ステップＳ３）。ファイル検索部４１は送られたＳＥＰ信号とＰＷＤ信号により、システムメモリ３３のポーリング送信ファイル管理テーブル４３を検索し、ＳＥＰ信号とＰＷＤ信号により検索した送信ファイルを画像的堰部３７から読み出す（ステップＳ４）。主制御部は読み出された送信ファイルを発信側に送信する（ステップＳ５）。
【００１６】
このようにポーリング送信ファイルを特定するＳＥＰをＰＷＤ毎に区分けして管理するようにしたから、同一ＳＥＰのセレクティブポーリング送信ファイルやフリーポーリング送信でも、異なる送信ファイルを発信側に送信することができ、ポーリング送信の利便性を向上することができる。
【００１７】
また、ＳＥＰを区分けするＰＷＤの替わりに発呼端末識別信号ＣＩＧや、非標準機能命令信号ＮＳＣに含まれる発信側の情報あるいは着信動作の前に発信電話番号通知サービスで取得した発信電話番号を使用しても、同一ＳＥＰのセレクティブポーリング送信ファイルやフリーポーリング送信でも、異なる送信ファイルを発信側に送信することができる。
【００１８】
前記説明ではシステム制御部３２に発側情報検索部４２とファイル検索部４１を設けた場合について説明したが、システムメモリ３３の制御プログラムにポーリング送信処理プログラムを格納しておき、このポーリング送信処理プログラムにより送信ファイルの検索を行うようにしても良い。
【００１９】
また、前記説明ではファクシミリ装置について説明したが、パソコン通信等にも同様にして適用することができる。
【００２０】
【発明の効果】
この発明は以上説明したように、セレクティブポーリング送信ファイル及びフリーポーリング送信ファイルを選択するＳＥＰを発信側を特定する情報、例えばＰＷＤ毎に区分けして管理し、発信側から送られたＳＥＰとＰＷＤにより送信ファイルを検索して送信するようにしたから、同一ＳＥＰのセレクティブポーリング送信ファイルやフリーポーリング送信でも、異なる送信ファイルを発信側に送信することができ、ファクシミリ装置等で行うポーリング送信の利便性を向上することができる。
【００２１】
また、発信側を特定する情報として発呼端末識別信号ＣＩＧや非標準機能命令信号ＮＳＣに含まれる発信側の情報あるいは着信動作の前に発信電話番号通知サービスで取得した発信電話番号を利用することにより、ファクシミリ装置の汎用性を向上することができる。
【図面の簡単な説明】
【図１】この発明のファクシミリ装置の構成図である。
【図２】制御部の構成を示すブロック図である。
【図３】ポーリング送信ファイル管理テーブルの構成図である。
【図４】ポーリング送信処理を示すフローチャートである。
【符号の説明】
１；ファクシミリ装置、２；画像形成ユニット、３；給紙カセット、
４；読取ユニット、３１；制御部、３２；システム制御部、
３３；システムメモリ、３４；パラメータメモリ、３５；網制御部、
３６；モデム、３７；画像蓄積部、３８；符号化復号化部、
３９；エンジン制御部、４１；ファイル検索部、４２；発側情報検索部、
４３；ポーリング送信ファイル管理テーブル。
【図１】
2004040522.tif 000003
【図２】
2004040522.tif 000004
【図３】
2004040522.tif 000005
【図４】
2004040522.tif 000006